(57)【要約】【課題】充電制御装置の外部に設けた時間計測機能を用いて、予め決められた充電期間に充電をする充電制御装置および充電制御方法を提供する。【解決手段】電源部３を有する充電器４と、外部端末９から充電開始信号を取得し、充電開始信号に基づいて、充電器４から蓄電装置２に充電させる制御をする制御部５と、を備える充電制御装置１である。【選択図】図１
2016086486.tif 000002
【特許請求の範囲】
【請求項１】
電源部を有する充電器と、
外部端末から充電開始信号を取得し、前記充電開始信号に基づいて、前記充電器から蓄電装置に充電させる制御をする制御部と、
を備えることを特徴とする充電制御装置。
【請求項２】
請求項１に記載の充電制御装置であって、
時間を計測する時間計測部を有し、所定時間になると前記充電開始信号を送信する前記外部端末から、前記充電開始信号を取得する、ことを特徴とする充電制御装置。
【請求項３】
請求項１に記載の充電制御装置であって、
前記充電器が有する接続部と、前記蓄電装置が有する接続部と、の接続を検出する検出部を備え、
前記制御部は、
前記充電開始信号を取得するまで、前記検出部への電力供給を遮断させ、
前記外部端末から前記充電開始信号を取得すると、前記検出部への電力供給を開始させ、
前記検出部が前記接続を検出すると、前記制御部は前記蓄電装置に充電を開始させる、
ことを特徴とする充電制御装置。
【請求項４】
外部端末は、電源部を有する充電器に、所定時間になると充電開始信号を送信し、
前記充電器は、前記充電開始信号を受信すると、前記充電開始信号に基づいて、蓄電装置に充電を開始する、
ことを特徴とする充電制御方法。
【請求項５】
請求項４に記載の充電制御方法であって、
前記充電器は、
前記充電開始信号を取得するまで、前記充電器が有する接続部と、前記蓄電装置が有する接続部と、の接続を検出する検出部への電力供給を遮断させ、
前記外部端末から前記充電開始信号を取得すると、前記検出部への電力供給を開始させ、
前記検出部が前記接続を検出すると、前記制御部は前記蓄電装置に充電を開始させる、
ことを特徴とする充電制御方法。
【発明の詳細な説明】
【技術分野】
【０００１】
本発明は、充電を制御する充電制御装置および充電制御方法に関する。
【背景技術】
【０００２】
従来、予め決められた充電期間に、充電器から電池パックに充電するには、充電期間を特定するための時間計測機能（タイマー機能）を有するタイマー部などを、充電器に備える必要がある。タイマー部は、時間計測回路、電源回路、制御回路などを有している。時間計測回路は、時計ＩＣ（Integrated Circuit）あるいはマイコンの時計機能などを用いて、時間を計測する回路である。電源回路は、充電器の外部に設けられた外部電力源からの電力供給が遮断されても、時間計測回路や制御回路などに電力を供給して時間計測を継続させるための電池、および、その周辺回路を有する。制御回路は、時間計測回路や電源回路を制御する、マイコンなどである。
【０００３】
しかしながら、充電器に上記したタイマー部を備えることは、充電器の体格の増大、および、コストの増加、につながる。
関連する技術として、タイマー機能を用いて、予め決められた充電期間になると充電を開始する技術が知られている。例えば、特許文献１、２などがある。
【先行技術文献】
【特許文献】
【０００４】
【特許文献１】特開２０１０−１１５０３８号公報
【特許文献２】特開平０６−０３０５３２号公報
【発明の概要】
【発明が解決しようとする課題】
【０００５】
本発明の一側面に係る目的は、充電制御装置の外部に設けた時間計測機能を用いて、予め決められた充電期間に充電をする充電制御装置および充電制御方法を提供することである。
【課題を解決するための手段】
【０００６】
本発明の態様のひとつである充電制御装置は、電源部を有する充電器と、外部端末から充電開始信号を取得し、充電開始信号に基づいて、充電器から蓄電装置に充電させる制御をする制御部と、を備える。また、充電制御装置は、時間を計測する時間計測部を有し、所定時間になると充電開始信号を送信する外部端末から、充電開始信号を取得する。
【０００７】
さらに、充電制御装置は、充電器が有する接続部と、蓄電装置が有する接続部と、の接続を検出する検出部を備えてもよい。その場合には、制御部は、充電開始信号を取得するまで、検出部への電力供給を遮断させ、外部端末から充電開始信号を取得すると、検出部への電力供給を開始させ、検出部が接続を検出すると、制御部は蓄電装置に充電を開始させる。
【発明の効果】
【０００８】
本発明の態様によれば、充電制御装置の外部に時間計測機能を設けることで、充電器の体格の増大、および、コストの増加を抑制できる。
【図面の簡単な説明】
【０００９】
【図１】図１は、充電制御装置の一実施例を示す図である。
【図２】図２は、接続検出部の一実施例を示す図である。
【図３】図３は、充電制御装置の動作の一実施例を示す図である。
【発明を実施するための形態】
【００１０】
以下図面に基づいて実施形態について詳細に説明する。
図１は、充電制御装置の一実施例を示す図である。充電制御装置１は、一つ以上の電源部３を有する充電器４、制御部５などを有している。また、充電制御装置１は後述する接続検出部２０を有している。図１の充電制御装置１には、蓄電装置２および外部端末９が接続されている。
【００１１】
蓄電装置２は、電池やキャパシタを有する電池パックなどである。例えば、車両に搭載されている電池パックが考えられる。
電源部３それぞれは、接続部６を介して交流電力が入力され、入力された交流電力を直流電力に変換し、変換した直流電力を接続部７と接続される接続部８を介して、蓄電装置２に供給する。
【００１２】
充電器４は、一つ以上の電源部３と、電源部３それぞれに交流電力を供給するための配線と接続部６とを備える入力配線と、電源部３それぞれから出力される直流電力を蓄電装置２に供給するための配線と接続部７とを備える出力配線と、を有している。
【００１３】
制御部５は、例えば、ＣＰＵ（Central Processing Unit）、マルチコアＣＰＵ、プログラマブルなデバイス（ＦＰＧＡ（Field Programmable Gate Array）やＰＬＤ（Programmable Logic Device）など）を用いた回路が考えられる。また、制御部５は内部または外部に備えられた記憶部から、蓄電装置２への充電、および、充電制御装置１の各部を制御するプログラムを読み出して実行する。
【００１４】
制御部５は、外部端末９から充電開始信号を取得し、充電開始信号に基づいて、充電器４から蓄電装置２への充電を開始させる。
外部端末９は、時間を計測し、所定時間になると充電開始信号を、充電制御装置１へ送信する。外部端末９は、充電制御装置１の外部にある端末であり、例えば、ＰＣ（Personal Computer）、または、ノートＰＣ、タブレット、スマートフォンなどの携帯端末が考えられる。図１の例では、外部端末９は時間計測部１０を有している。時間計測部１０は、外部端末９の有する時間計測機能を用いてもよい。
【００１５】
充電開始信号は、外部端末９に実装された充電開始日時を設定するソフトウェアを用いて、利用者により設定された充電開始日時になると、外部端末９から充電制御装置１へ送信される信号である。充電開始日時は、時間計測部１０により計測される。
【００１６】
例えば、利用者が充電開始日時もしくは充電終了日時を入力することで、充電開始時間になると、外部端末９がマスターになり、外部端末９から制御部５に充電開始信号を送信する。また、利用者が充電開始日時を入力した場合、充電開始日時に所定時間を加算した日時を充電終了日時（充電開始日時から所定時間経過後の日時）に設定する。なお、充電終了日時を入力した場合は、充電終了日時から所定時間を減算した日時を充電開始日時（充電終了日時の所定時間前の日時）に設定する。
【００１７】
また、蓄電装置２への充電の終了は、蓄電装置２の電池またはキャパシタのＳＯＣ（State of Charge）を用いて終了させてもよい。
接続検出部について説明する。
【００１８】
接続検出部２０は、例えば、電力供給部２１、検出部２２、制御部５を有している。図２は、接続検出部の一実施例を示す図である。
電力供給部２１は、検出部２２に電力を供給する電力源である。制御部５から出力される駆動信号を受信すると、駆動して所定電力を検出部２２に供給する。
【００１９】
検出部２２は、充電器４が有する接続部７と、蓄電装置２が有する接続部８と、の接続を検出する。検出部２２は、電力供給部２１から所定電力が供給されている状態で、接続部７と接続部８との接続を検出すると、接続部７と接続部８とが接続されたことを知らせる接続検出信号を制御部５に送る。
【００２０】
制御部５は、充電開始信号を取得するまで、検出部２２への電力供給を遮断させ、外部端末９から充電開始信号を取得すると、電力供給部２１を駆動させ検出部２２への電力供給を開始させる。そして検出部２２が接続部７と接続部８とが接続されていることを検出すると、制御部５は充電器４から蓄電装置２への充電を開始させる。
【００２１】
本実施形態によれば、充電制御装置１の外部に時間計測機能を設けることで、充電制御装置１の体格の増大、および、コストの増加を抑制できる。
さらに、充電開始信号を取得してから電力供給部２１を駆動させ、電力供給部２１から検出部２２に電力を供給してから、接続部７と接続部８との接続を検出させるという、簡単な方法を用いているので、充電制御装置１の体格の増大、および、コストの増加を抑制できる。
【００２２】
充電制御装置の動作について説明する。
図３は、充電制御装置の動作の一実施例を示す図である。
ステップＳ１では、制御部５が、電力供給部２１から検出部２２への電力供給を遮断させ、接続部７と接続部８とが接続されたことを、検出部２２から制御部５に知らせないようにする。すなわち、検出部２２を駆動させないで、接続部７と接続部８とは接続されているが、接続検出信号を制御部５に送れないようにする。
【００２３】
ステップＳ２では、制御部５が外部端末９から出力された充電開始信号を取得したか否かを判定し、充電開始信号を取得した場合（Ｙｅｓ）にはステップＳ３に移行し、充電開始信号を取得していない場合（Ｎｏ）にはステップＳ１に移行する。
【００２４】
ステップＳ３では、制御部５が駆動信号を出力して電力供給部２１を駆動させ、電力供給部２１から検出部２２へ電力を供給させる。
ステップＳ４では、接続部７と接続部８とが接続されたことを示す接続検出信号を、検出部２２から制御部５が取得する。接続検出信号を取得した場合（Ｙｅｓ）にはステップＳ５に移行し、取得できない場合（Ｎｏ）にはステップＳ６に移行する。
【００２５】
ステップＳ５では、制御部５が充電制御処理を実行して、蓄電装置２への充電を開始する。
ステップＳ６では、制御部５が異常制御処理を実行する。例えば、利用者に蓄電装置２への充電ができないことを通知する。例えば、ＬＥＤなどを点灯、もしくは点滅させることが考えられる。
【００２６】
本実施形態によれば、充電制御装置１の外部に時間計測機能を設けることで、充電制御装置１の体格の増大、および、コストの増加を抑制できる。
さらに、充電開始信号を取得してから電力供給部２１を駆動させ、電力供給部２１から検出部２２に電力を供給し、接続部７と接続部８との接続を検出させるという、簡単な方法を用いているので、充電制御装置１の体格の増大、および、コストの増加を抑制できる。
【００２７】
また、本発明は、上記実施の形態に限定されるものでなく、本発明の要旨を逸脱しない範囲内で種々の改良、変更が可能である。
【符号の説明】
【００２８】
１  充電制御装置、
２  蓄電装置、
３  電源部、
４  充電器、
５  制御部、
６、７、８  接続部、
９  外部端末、
１０  時間計測部、
２０  接続検出部、
２１  電力供給部、
２２  検出部、
【図１】
2016086486.tif 000003
【図２】
2016086486.tif 000004
【図３】
2016086486.tif 000005